Podtech/llm-jp-corpus-v4-ja_patent huggingface dataset:
(57)【要約】【課題】    一種類の洋服バッグで背広からロングコートに至るまでの種類の洋服を収納し携帯する事が出来、また、廃棄時にゴミとしての分別も容易であり焼却時においても有害な塩素ガスやダイオキシン類の発生しない環境にやさしい洋服携帯バッグを提供することである。【解決手段】洋服バッグ本体にファスナーを使用せず、外被と内被の内側に両端を縫製加工で取り付けられた折り返し用ベルト部を具備している。【選択図】  図１
2006061663.tif 000002
【特許請求の範囲】
【請求項１】
二つ折りにして携帯する洋服バッグであって、外被と内被と、外被と内被の間に同素材または異素材からなる折り返し用ベルトと、外被と同素材の生地からなる二つ折り固定部を有し、洋服の収納状況により内被生地先端（フラップ）を二つ折り固定部の中に差込んで使用する事が出来、洋服の長さが洋服バッグより長いコート類の収納時は外被生地と折り返し用ベルトの間を通過させ、折り返しベルトに沿って洋服の裾を内被生地先端（フラップ）の内側に折り返し収納する事により全体を二つ折りにして携帯出来る、背広からロングコートまで収納可能を特徴とした簡易型洋服携帯バッグ。
【請求項２】
洋服バッグにはファスナーを使用しない事を特徴とする請求項１記載の簡易型洋服携帯バッグ。
【発明の詳細な説明】
【技術分野】
【０００１】本発明は、携帯時に使用する洋服バッグに関するものである。
【技術背景】
【０００２】  従来、販売店及び専門店において洋服を買ったあと家庭までの移動時の汚れや洋服の型崩れを防ぐ為に洋服携帯バッグが準備されている。この場合は背広など専用のスーツ用、ハーフコートや婦人用ドレスなどのコート用、またロングコート専用のロングコート用とサイズに合わせた商品構成を持って在庫しているのが現状である。また、市場の殆どの洋服携帯バッグにファスナーが取り付けられており、ファスナー両端の止具にアルミニウムや鉄などの金属を使用している例が多く、洋服携帯バッグの廃棄時において金属を別分類し廃棄する必要があった。
【発明の開示】
【発明が解決しようとする課題】
【０００３】  本発明は、前記状況を鑑み、一種類の洋服バッグで背広からロングコートに至るまでの種類の洋服を収納し携帯する事により生産面で一機種大量生産による生産効率の向上とコストダウンが可能となり、また、ファスナーを使用しないことにより廃棄時にゴミとしての分別も容易であり、焼却時においても有害な塩素ガスやダイオキシン類の発生しない環境にやさしい洋服携帯バッグを提供することである。
【課題を解決するための手段】
【０００４】  前記目的を解決する為、本発明の洋服携帯バッグは、内被と外被の内側に両端を縫製加工にて取り付けられた折り返し用ベルトを具備している。【０００５】  また、折り返し用ベルトは、内被もしくは外被と同素材のＰＰ不織布やＰＥＶＡ素材からなることが望ましい。【０００６】  また、折り返し用ベルトの形状は方形で、長さはバッグの幅と同じで、幅は２ｍｍ〜１００ｍｍ以内、厚みは１ｍｍ〜１０ｍｍ以内にすることが望ましい。【０００７】通常、携帯を目的とせず洋服カバーとして使用する場合は、洋服携帯バッグ下部にある二つ折り固定部の前面を通過させ、裾を下に垂らす形で長尺もののロングコートなどを収納できる。【０００８】  また、携帯する場合は、下に垂らした裾を折り返しベルトに沿って内被生地先端（フラップ）内に納める事により、二つ折りにして持ち運びが可能な洋服バッグとして使用できる。【０００９】  内被にＰＰ不織布２０ｇ／ｍ２〜６０ｇ／ｍ２の薄手でソフトな生地を使用することにより、ハンガーをセットした状態の衣類を、内被生地先端（フラップ）下方より挿入しハンガー差込口までの差込が容易に行える。この事により、従来必要であったファスナーを使用せず洋服バッグとしての機能をもたらす事が可能である。
【発明の効果】
【００１０】よって、この考案洋服バッグはファスナーを使用しない簡単な構成であるが、従来にない特徴を兼ね備え、原価構成比の高いファスナーを使用しない事は、安価で付加価値の高い便利なものを提供でき、市場に与える経済的効果は極めて大きい。また、一種類の洋服バッグの在庫で背広からロングコートまで収納出来る為、店舗での洋服バッグの在庫を一本化することにより、品切れ防止や、ストックルームの効率が改善される。【００１１】また、ファスナーを使用しない事により、主部材をオレフィン系樹脂に統一出来る為、廃棄時、ゴミとしての分別も容易であり、また焼却時においても有害な塩素ガスやダイオキシン類の発生しない環境にやさしい洋服携帯バッグである。
【発明を実施する最良の形態】
【００１２】本発明の実施の形態について、図を用いて説明するが、以下の実施形態に限定されることはない。
【００１３】図１の折り返し用ベルトは、内被もしくは外被と同素材のＰＰ不織布やＰＥＶＡ素材からなることが望ましい。
【００１４】また、折り返し用ベルトの形状は方形で、長さはバッグの幅と同じで、幅は２ｍｍ〜１００ｍｍ以内、厚みは１ｍｍ〜１０ｍｍ以内にすることが望ましい。
【００１５】内被にＰＰ不織布２０ｇ／ｍ２〜６０ｇ／ｍ２の薄手でソフトな生地を使用することにより、ハンガーをセットした状態の衣類を、内被生地先端（フラップ）下方より挿入しハンガー差込口までの差込が容易に行える。この事により、従来必要であったファスナーを使用せず洋服バッグとしての機能をもたらす事が可能である。
【図面の簡単な説明】
【００１６】
【図１】本実施形態にかかる洋服カバー展開状態の内面図である。
【図２】本実施形態にかかる洋服カバー展開状態の側面図である。
【図３】本実施形態にかかる洋服カバーに背広を掛けて保管した状態を示す説明図である。
【図４】本実施形態にかかる洋服カバーにコートを掛けて保管した状態を示す説明図である。
【図５】本実施形態にかかる洋服カバーにコートの裾を折ってバッグ内部に収納する状態の説明図である。
【図６】本実施形態にかかる洋服カバー携帯時の一形態示す正面図である。
【符号の説明】
【００１７】        １    折り返し用ベルト
２    外被
３    内被
４    二つ折り固定部
５    内被生地先端（フラップ）
６    ミシン終了部
７    ハンガー
【図１】
2006061663.tif 000003
【図２】
2006061663.tif 000004
【図３】
2006061663.tif 000005
【図４】
2006061663.tif 000006
【図５】
2006061663.tif 000007
【図６】
2006061663.tif 000008
(57)【要約】【課題】改良された膜透析液に対する需要。【解決手段】改良された膜透析液であって、この膜透析液は、約２．０乃至約６．０％（W/V)のマルトデキストリンと、約０．２５乃至約２．０％（W/V)のアミノ酸とを浸透圧剤として含み、一具体例において、上記のアミノ酸は、必須アミノ酸及び非必須アミノ酸の両方を含み、さらなる具体例において、上記溶液は、１２０乃至約１４０（ｍEq／ｌ）のナトリウム、７０乃至約１１０（ｍEq／ｌ）の塩素イオン、０乃至約４５．００（ｍEq／ｌ）の乳酸、０乃至約４５．００（ｍEq／ｌ）の重炭酸イオン、０乃至約４．００（ｍEq／ｌ）のカルシウム、及び０乃至約４．００（ｍEq／ｌ）のマグネシウムを含む、膜透析液。【選択図】なし【特許請求の範囲】
【請求項１】
マルトデキストリンとアミノ酸とを含む、腹膜透析液。
【発明の詳細な説明】
【技術分野】
【０００１】
【数１−１】
2006061713.tif 000002
【背景技術】
【０００２】
【数１−２】
2006061713.tif 000003
【０００３】
【数２】
2006061713.tif 000004
【０００４】
【数３】
2006061713.tif 000005
【０００５】
【数４】
2006061713.tif 000006
【０００６】
【数５−１】
2006061713.tif 000007
【発明の開示】
【発明が解決しようとする課題】
【０００７】
【数５−２】
2006061713.tif 000008
【課題を解決するための手段】
【０００８】
【数５Ａ−１】
2006061713.tif 000009
【０００９】
【数５Ａ−２】
2006061713.tif 000010
【００１０】
【数５Ａ−３】
2006061713.tif 000011
【００１１】
【数５Ａ−４】
2006061713.tif 000012
【００１２】
【数５Ａ−５】
2006061713.tif 000013
【００１３】
【数５Ａ−６】
2006061713.tif 000014
【００１４】
【数５Ａ−７】
2006061713.tif 000015
【００１５】
【数５Ａ−８】
2006061713.tif 000016
【００１６】
【数５−３】
2006061713.tif 000017
【００１７】
【数６】
2006061713.tif 000018
【００１８】
【数７】
2006061713.tif 000019
【００１９】
【数８】
2006061713.tif 000020
【００２０】
【数９】
2006061713.tif 000021
【００２１】
【数１０−１】
2006061713.tif 000022
【発明を実施するための最良の形態】
【００２２】
【数１０−２】
2006061713.tif 000023
【実施例】
【００２３】
【数１０−３】
2006061713.tif 000024
【００２４】
【数１１】
2006061713.tif 000025
【００２５】
【数１２】
2006061713.tif 000026
【００２６】
【数１３】
2006061713.tif 000027
【００２７】
【数１４】
2006061713.tif 000028
【００２８】
【数１５】
2006061713.tif 000029
【００２９】
【数１６】
2006061713.tif 000030
【００３０】
【数１７】
2006061713.tif 000031
【００３１】
【数１８】
2006061713.tif 000032
【００３２】
【数１９】
2006061713.tif 000033
【００３３】
【数２０】
2006061713.tif 000034
【００３４】
【数２１】
2006061713.tif 000035
【００３５】
【数２２】
2006061713.tif 000036
【００３６】
【数２３】
2006061713.tif 000037
【００３７】
【数２４】
2006061713.tif 000038
【図面の簡単な説明】
【００３８】
【図１】図１は、以下に提示された実験に従った溶液についての、経時的な腹腔内液量プロフィールをグラフで図解する。
【図２】図２は、以下に提示された実験に従った溶液についての、経時的な腹腔体積プロフィールをグラフで図解する。
【図３】図３は、以下に提示された実験に従って単独投与されたマルトデキストリンのパーセント吸収をグラフで図解する。
【図４】図４は、以下に提示された実験に従ってアミノ酸と組み合わせて投与されたマルトデキストリンのパーセント吸収をグラフで図解する。
【図５】図５は、以下に提示された実験に従った溶液の性能をグラフで図解する。
【図１】
2006061713.tif 000039
【図２】
2006061713.tif 000040
【図３】
2006061713.tif 000041
【図４】
2006061713.tif 000042
【図５】
2006061713.tif 000043
(57)【要約】【課題】  浴槽内の湯の温度低下をより抑制する。【解決手段】  内部に真空断熱材２が配置され、真空断熱材が発泡材３により保持され、端縁部にエッジ材４が配設された。【選択図】図１
2006061371.tif 000002
【特許請求の範囲】
【請求項１】
内部に真空断熱材が配置された浴槽蓋であって、真空断熱材が発泡材により保持され、端縁部にエッジ材が配設されたことを特徴とする浴槽蓋。
【請求項２】
ケーシングの内部に真空断熱材が配置され、ケーシングと真空断熱材の間に発泡材が充填されて真空断熱材が発泡材により保持され、ケーシングの端縁部にエッジ材が配設された請求項１記載の浴槽蓋。
【請求項３】
ケーシングの内側にリブが突設され、真空断熱材がリブにより支持されている請求項２記載の浴槽蓋。
【発明の詳細な説明】
【技術分野】
【０００１】
本願発明は、浴槽蓋に関するものである。
【背景技術】
【０００２】
浴槽の上面を覆う蓋については様々なものが提供されており、たとえば、２枚以上で一組となる薄板状の浴槽蓋が知られている（たとえば、特許文献１参照）。
【特許文献１】特開１１−３２９３０号公報
【発明の開示】
【発明が解決しようとする課題】
【０００３】
浴槽蓋では、浴槽内の湯を保温するために、内部に空気層または発泡材が充填されている。しかしながら、その効果はある程度認められるが、追い炊きの間隔をより長くし、追い炊きの回数をより減らし、経済性を高めるには、改良が必要とされる。
【０００４】
本願発明は、このような事情に鑑みてなされたものであり、浴槽内の湯の温度低下をより抑制することのできる浴槽蓋を提供することを解決すべき課題としている。
【課題を解決するための手段】
【０００５】
本願発明は、上記の課題を解決するために、第１には、内部に真空断熱材が配置された浴槽蓋であって、真空断熱材が発泡材により保持され、端縁部にエッジ材が配設されたことを特徴としている。
【０００６】
本願発明は、第２には、ケーシングの内部に真空断熱材が配置され、ケーシングと真空断熱材の間に発泡材が充填されて真空断熱材が発泡材により保持され、ケーシングの端縁部にエッジ材が配設されたことを特徴としている。
【０００７】
本願発明は、第３には、ケーシングの内側にリブが突設され、真空断熱材がリブにより支持されていることを特徴としている。
【発明の効果】
【０００８】
本願発明の第１および第２の浴槽蓋によれば、従来に比べ、浴槽内の湯の温度が低下するのをより抑制することができる。
【０００９】
本願発明の第３の浴槽蓋によれば、強度が上がるとともに、真空断熱材を支持することができる。
【発明を実施するための最良の形態】
【００１０】
以下、図面に沿って本願発明の浴槽蓋についてさらに詳しく説明する。
【００１１】
図１は、本願発明の浴槽蓋の一実施形態を示した要部断面図である。
【００１２】
ケーシング１の内部に真空断熱材２が配置されている。ケーシング１には、樹脂製またはアルミニウム製のものを採用することができる。ケーシング１は、厚み方向の中央で二分割され、表裏のケーシング１１，１２に分かれている。それぞれのケーシング１１，１２の側端部にはフランジ部１３が形成され、このフランジ部１３を上下で突き合わせ、接着、溶着等されて、ケーシング１として一体化されている。
【００１３】
真空断熱材２は、シリカ粉末等の粉末材料や繊維材料等の多孔質構造を有する芯材をラミネートフィルムで外被し、内部を減圧して封止したものである。この真空断熱材２は高い断熱性を有する。そして、真空断熱材２は、ケーシング１の厚み方向の中央部に配置されている。
【００１４】
このようなケーシング１と真空断熱材２の間には、発泡材３が充填されている。発泡材３は、断熱性を有するとともに、一般に表裏面が平滑でない真空断熱材２の表裏面の凹凸を吸収し、平滑な表裏面を形成する。浴槽蓋の表裏面を平滑化するのに寄与している。発泡材３としては、たとえばポリウレタン、アクリル系等の樹脂から形成される発泡材が例示される。発泡倍率は、強度、断熱性の両面を考慮すると、１０倍程度とするのが好ましい。
【００１５】
そして、浴槽蓋では、ケーシング１の端縁部にエッジ材４が嵌着により配設されている。エッジ材４の嵌着により、ケーシング１は水密的に密閉されている。エッジ材４の材質には、樹脂等が例示される。
【００１６】
図２は、本願発明の浴槽蓋の別の実施形態を示した要部断面図である。
【００１７】
図２図中に示した符号の内、図１と同一の符号は同一のものを示している。
【００１８】
図２に示した浴槽蓋では、ケーシング１１，１２の内側にリブ１４が突設されている。リブ１４は、真空断熱材２を表裏両側から支持している。リブ１４により、ケーシング１の強度が上がるとともに、真空断熱材２が支持される。剛性がより良好な浴槽蓋となる。
【００１９】
本願発明の浴槽蓋による湯の保温効果を実際に調べた。浴槽蓋には、図２に示したものを使用し、２枚一組として浴槽の上面に配置した。浴槽には、400mmの深さまで温度４２℃の湯を入れ、周囲の温度を５℃に設定した。そして、６時間後、浴槽底面より250mmの深さの湯温を測定した。湯温の低下は5.2度であった。比較のために、従来の浴槽蓋を用いた場合の湯温の低下を同様にして調べた。6.2度の温度低下が認められた。このことから、本願発明の浴槽蓋の方がより湯温の低下を抑制することができることが確かめられた。追い炊きの間隔を長くし、追い炊きの回数を減らすことが可能となる。
【００２０】
もちろん、本願発明は、以上の実施形態によって限定されるものではない。ケーシングの材質や構造、真空断熱材の構造、発泡材の種類等の細部については様々な態様が可能である。
【図面の簡単な説明】
【００２１】
【図１】本願発明の浴槽蓋の一実施形態を示した要部断面図である。
【図２】本願発明の浴槽蓋の別の実施形態を示した要部断面図である。
【符号の説明】
【００２２】
１    ケーシング
１１，１２    ケーシング
１３    フランジ部
１４    リブ
２    真空断熱材
３    発泡材
４    エッジ材
【図１】
2006061371.tif 000003
【図２】
2006061371.tif 000004
(57)【要約】【課題】枕材として比較的硬質の粒状体を用いても適度なクッション性が得られる枕の提供。【解決手段】枕は、木質製粒状体１を多数個詰め込んだメッシュ状内袋１０と、このメッシュ状内袋１０を入れて包囲する枕材用包装袋２０とから成る。枕材用包装袋２０は、羽毛又は綿などのクッション材（図示せず）を芯材としてキルティング加工を施して成り、枕材用包装袋２０の表裏の面には２本の長手方向の縫合線２２ａと短手方向の２本の縫合線２４ｂとによって長方形状の小分け面部２４が形成されている。【選択図】      図１
2006061349.tif 000002
【特許請求の範囲】
【請求項１】
枕材用包装袋の中に木質製粒状体などの枕材を充填して成る枕において、前記枕材用包装袋は、羽毛又は綿などのクッション材を芯材としてキルティング加工を施して成ることを特徴とする枕材用包装袋。
【請求項２】
木質製粒状体などの枕材を充填するための枕材用包装袋において、羽毛又は綿などのクッション材を芯材としてキルティング加工を施して成ることを特徴とする枕材用包装袋。
【発明の詳細な説明】
【技術分野】
【０００１】
本発明は、木質製粒状などの枕材を充填するのに好適な枕材用包装袋に関する。
【背景技術】
【０００２】
従来から枕の中に詰め込む枕材としては、スポンジやそば殻などのクッション性に富むものとは異なり、木質製粒状体，木炭粒，セラミック粒状体などの粒状体を用いたものが知られている。
【０００３】
【特許文献１】特公昭６４−１１２８５
【発明の開示】
【発明が解決しようとする課題】
【０００４】
しかしながら、木質製粒状体，木炭粒，セラミック粒状体などの粒状体は、比較的硬質であることから、頭部等に対しゴツゴツ感を呈し、スポンジやそば殻に比しクッション性に欠ける。
【０００５】
そこで、上記問題点に鑑み、本発明の課題は、枕材として比較的硬質の粒状体を用いても適度なクッション性が得られる枕及び枕材用包装袋を提供することにある。
【課題を解決するための手段】
【０００６】
本発明は、枕材用包装袋の中に木質製粒状体などの枕材を充填して成る枕において、その枕材用包装袋は、羽毛又は綿などのクッション材を芯材としてキルティング加工を施して成ることを特徴とする。比較的硬質の枕材を詰め込んでも、キルティング加工の枕材用包装袋自身がクッション性を呈することから、頭部等に対するゴツゴツ感を解消でき、適度なソフト感を得ることができる。また、枕材用包装袋の面がキルティング加工で小分けされているため、その中のクッション材が偏ることがない。
【発明の効果】
【０００７】
本発明によれば、枕材として比較的硬質の粒状体を用いても適度なクッション性が得られると共に、枕材用包装袋の面がキルティング加工で小分けされているため、その中のクッション材が偏ることがない。
【発明を実施するための最良の形態】
【０００８】
次に、本発明の実施形態を添付図面に基づいて説明する。図１は本発発明の一実施形態に係る枕を示す斜視図である。
【０００９】
本例の枕は、ひのき材若しくはその他の木材をサイコロ状（例えば５〜１０ｍｍ角）に細断した木質製粒状体１を多数個詰め込んだメッシュ状内袋１０と、このメッシュ状内袋１０を収納する枕材用包装袋２０とから成る。なお、枕材用包装袋２０は、別途、枕カバー（図示せず）で包み込んでも良い。
【００１０】
メッシュ状内袋１０は長手方向に配向した３つの小分け袋部１２とから成り、各小分け袋部１２の中には木質製粒状体１が充填されている。小分け袋部１２によって木質製粒状体１の短手方向の移動が限定されて偏りが抑制される。なお、小分け袋部１２は２つ以上であれば良い。
【００１１】
枕材用包装袋２０は、羽毛又は綿などのクッション材（図示せず）を芯材としてキルティング加工を施して成り、枕材用包装袋２０の表裏面には２本の長手方向の縫合線２２ａと短手方向の２本の縫合線２４ｂとによって長方形状の小分け面部２４が形成されている。各小分け面部２４はその中のクッション材によって数ミリの厚さを有する。枕材用包装袋２０の開口縁には線状操作式ファスナー２６が縫着されている。なお、小分け面部２４は長方形に限らず、正方形や菱形などの各種多角形であれば良い。
【００１２】
このような構成の枕においては、枕材用包装袋２０の中に比較的硬質の木質製粒状体１を詰め込んでも、クッション材（図示せず）を芯材としてキルティング加工の枕材用包装袋２０自身が適度なクッション性を呈することから、頭部等に対するゴツゴツ感を解消できる。また、枕材用包装袋２０の面がキルティング加工で小分けされているため、その中のクッション材が偏ることがない。
【００１３】
なお、枕材としては、木炭粒，セラミック粒状体などの比較的硬質の粒状体に限らず、そば殻，ポプリなどの軟質のものでも構わない。
【図面の簡単な説明】
【００１４】
【図１】本発発明の一実施形態に係る枕を示す斜視図である。
【符号の説明】
【００１５】
１…木質製粒状体
１０…メッシュ状内袋
１２…小分け袋部
２０…枕材用包装袋
２２ａ…長手方向の縫合線
２２ｂ…短手方向の縫合線
２４…小分け面部
２６…線状操作式ファスナー
【図１】
2006061349.tif 000003
(57)【要約】【課題】組み立てが簡単で、強度に優れ、低コストで提供できる陳列具を提供する。【解決手段】複数の棚段１を上下に配置し、各棚段１の前板２に一対の側板３を連設し、側板３に背板４を連設した厚紙製陳列棚において、棚段１をなす前板２の上縁から棚板７を延出し、棚板７の両側縁と側板３とを折込片８を介して繋ぎ、折込片８と側板３の境界を後上がり４５°の斜折線９とし、一方の側板３から延出した背板４の先端に差込片１１を設け、他方の側板３から継代５を延出して、継代５の基部にスリット１２を形成し、折込片８と棚板７の境界を谷折りしつつ、折込片８を側板３の内側に折り込み、継代５に背板４を重ね、スリット１２に差込片１１を差し込む。【選択図】図３
2006061237.tif 000002
【特許請求の範囲】
【請求項１】
複数の棚段を上下に配置し、各棚段の前板に一対の側板を連設し、側板に背板を連設した陳列棚において、棚段をなす前板の上縁から棚板を延出し、棚板の両側縁と側板とを折込片を介して繋ぎ、折込片と側板の境界を後上がり４５°の斜折線とし、一方の側板から延出した背板の先端に差込片を設け、他方の側板から継代を延出して、継代の基部にスリットを形成し、折込片と棚板の境界を谷折りしつつ、折込片を側板の内側に折り込み、継代に背板を重ね、スリットに差込片を差し込んだことを特徴とする陳列棚。
【発明の詳細な説明】
【技術分野】
【０００１】
この発明は、上下に配置された複数の棚段に商品をセットして陳列する厚紙製の陳列棚に関するものである。
【背景技術】
【０００２】
化粧品等の商品を店頭で陳列する吊下式の陳列棚として、下記特許文献１には、図４に示すようなものが記載されている。この陳列棚は、複数の棚段５１を上下に配置し、各棚段５１の前板５２に一対の側板５３を連設し、各側板５３の後縁から延出した背板５４を貼り合わせて形成される。
【０００３】
各棚段５１では、側板５３の下縁から延出した底片５５を内側へ折り曲げ、前板５２の下縁から延出した底板５６を後方へ折り曲げ、その先端部の背当片５７を上方へ折り曲げて、背板５４の前面に沿わせるようにしている。
【０００４】
各棚段５１には棚台５８がセットされ、この棚台５８は、多数の商品保持穴５９を有する棚板６０の周縁に脚片６１を連設し、これらの脚片６１を下方へ折り曲げたものとされている。そして、商品の陳列に際しては、商品保持穴５９に化粧品等の商品を挿入し、背板５４の上部の紐穴６３に紐を挿通して、この紐により陳列棚を吊り下げる。
【０００５】
【特許文献１】実開平６−２６６２１号公報
【発明の開示】
【発明が解決しようとする課題】
【０００６】
しかしながら、上記のような陳列棚では、陳列時に商品の荷重が作用すると、各棚段が底抜けする恐れがある。
【０００７】
また、製造時に貼り加工や棚台の製作が必要となるので、コストがかかり、店頭での組み立てに手間がかかるという問題もある。
【０００８】
そこで、この発明は、組み立てが簡単で、強度に優れ、低コストで提供できる厚紙製の陳列具を提供することを課題とする。
【課題を解決するための手段】
【０００９】
上記課題を解決するため、この発明では、複数の棚段を上下に配置し、各棚段の前板に一対の側板を連設し、側板に背板を連設した陳列棚において、棚段をなす前板の上縁から棚板を延出し、棚板の両側縁と側板とを折込片を介して繋ぎ、折込片と側板の境界を後上がり４５°の斜折線とし、一方の側板から延出した背板の先端に差込片を設け、他方の側板から継代を延出して、継代の基部にスリットを形成し、折込片と棚板の境界を谷折りしつつ、折込片を側板の内側に折り込み、継代に背板を重ね、スリットに差込片を差し込むようにしたのである。
【発明の効果】
【００１０】
この発明に係る陳列棚は、前板から両側板を折り曲げると、折込片が斜折線に沿って折り込まれ、棚板が水平となって棚段が形成されるので、扁平な状態から簡単に組み立てることができ、貼り加工や棚台も不要であり、低コストで提供できる。また、この組立状態において、棚板が折込片を介し側板から吊り下げられた状態となるので、棚段は底抜けの恐れがなく、形状が安定し、強度に優れたものとなる。
【発明を実施するための最良の形態】
【００１１】
以下、この発明の実施形態を添付図面に基づいて説明する。
【００１２】
この陳列棚は、図１に示すような段ボール製のブランクから形成される。このブランクでは、棚段１をなす部分が上下２段に配置されており、各棚段１とその上方に位置する前板２の両側縁には側板３が連設され、一方の側板３の外縁には背板４が、他方の側板３の外縁には継代５がそれぞれ連設されている。
【００１３】
棚段１をなす前板２の上縁には、複数個の商品保持穴６を有する棚板７が連設され、棚板７の両側縁と側板３とは折込片８を介して繋がれて、折込片８と側板３の境界は、外側へかけて上方へ４５°傾いた斜折線９とされている。また、棚板７の上縁には背当片１０が連設されている。
【００１４】
さらに、背板４の外縁には、上下に２個の差込片１１が設けられ、継代５の基部には、差込片１１に対応して、上下２ヶ所にスリット１２が形成されている。そのほか、側板３の上部には紐穴１３が設けられている。
【００１５】
このブランクを組み立てるには、図２に示すように、前板２、一対の側板３及び背板４を角筒状に折り曲げ、折込片８と棚板７の境界を谷折りしつつ、折込片８を側板３の内側に折り込み、図３に示すように、背当片１０を下方へ折り曲げて背板４の前面に沿わせ、継代５に背板４を重ね、スリット１２に差込片１１を差し込む。
【００１６】
このとき、前板２から両側板３を折り曲げると、折込片８が斜折線９に沿って折り込まれ、棚板７が水平となって棚段１が形成されるので、この陳列具は、扁平な状態から簡単に組み立てることができる。
【００１７】
そして、このように組み立てた陳列棚を用いて店頭で商品を陳列する際には、各棚段１の商品保持穴６にチューブ入り化粧品等の商品を挿入し、紐穴１３に紐を挿通して、この紐により陳列用什器のバー等に陳列棚を吊り下げる。
【００１８】
この陳列状態においては、棚板７が折込片８を介し側板３から吊り下げられた状態となるので、棚段１は底抜けする恐れがなく、陳列棚全体の形状が安定し、荷重に対する強度にも優れたものとなる。
【００１９】
また、この陳列棚は、継代５の基部に形成したスリット１２に、背板４の先端に設けた差込片１１を差し込んで保形するので、背板４の貼り付けが不要となり、低コストで化粧品メーカー等の使用者に提供できる。
【図面の簡単な説明】
【００２０】
【図１】この発明の実施形態に係る陳列棚のブランクを示す図
【図２】同上の組立過程を示す斜視図
【図３】同上の組立状態を示す斜視図
【図４】従来の陳列棚を示す斜視図
【符号の説明】
【００２１】
１  棚段
２  前板
３  側板
４  背板
５  継代
６  商品保持穴
７  棚板
８  折込片
９  斜折線
１０  背当片
１１  差込片
１２  スリット
１３  紐穴
【図１】
2006061237.tif 000003
【図２】
2006061237.tif 000004
【図３】
2006061237.tif 000005
【図４】
2006061237.tif 000006
(57)【要約】【課題】本発明はリュックサックの肩ベルトにショルダーストラップのズレ止めフックを取り付けることで、肩に掛けたカメラなどのショルダーストラップがズレ落ちないことを最も主要な特徴とする。【解決手段】リュックサックの肩ベルト４にズレ止めフック1の設けられたテープアジャスター２又はクリップ３を取り付け、カメラなどのショルダーストラップ５をズレ止めフック１に掛けることでズレ落ちを防止できる。そのことにより、安全にカメラなどを肩に掛けられることを実現する。【選択図】図３
2006061212.tif 000002
【特許請求の範囲】
【請求項１】
テープアジャスター又はテープを挟み込める様に加工したクリップに、Ｕ字型又はＬ字型に立ち上げたズレ止め部を設けたショルダーストラップのズレ止めフック。
【発明の詳細な説明】
【技術分野】
【０００１】
本発明は、ショルダーストラップのズレ止めフックに関するものである。
【背景技術】
【０００２】
登山やハイキングなどでリュックサックは広く利用されている。その際にカメラや三脚、水筒などのショルダーストラップを肩に掛けて歩くことがあるが、これは必要なときに直ぐにカメラなどが使える利点があるので、そのように携行されることが多くある。
【０００３】
しかし、リュックサックを背負って歩いているときにカメラや三脚、水筒などのショルダーストラップが肩からズレ落ちてしまうことが度々あり、時には地面に落したり、岩にぶつけたりして高価なカメラなどを壊してしまう欠点があった。
【０００４】
登山やハイキングなどでこの欠点は、肩に掛けたカメラなどのショルダーストラップがズレ落ちない様に気を使わなければならないなどの不便さがあった。
【０００５】
この改善策として、カメラや三脚、水筒などを携行する場合、ショルダーストラップをタスキ掛け又は首に掛ける方法がある。しかしこの方法では、直ぐに使いにくいなどの問題があった。
【特許文献１】特開２００１−７８８３２号公報
【発明の開示】
【発明が解決しようとする課題】
【０００６】
解決しようとする問題点は、リュックサックなどを使用している際に、カメラや三脚、水筒などのショルダーストラップを肩に掛ける場合に、ショルダーストラップが肩からズレ落ちやすかった点である。
【課題を解決するための手段】
【０００７】
本発明は、テープアジャスター又はテープを挟めるように加工したクリップにＵ字型またはＬ字型のズレ止めの立ち上がり部を設けた、ショルダーストラップのズレ止めフックを、リュックサックなどの肩ベルトに取り付けることで、カメラや三脚、水筒などのショルダーストラップを肩に掛けた際に、ズレ止めの立ち上がり部にショルダーストラップが引っかかることで、肩からズレ落ちないことを最も主要な特徴とする。
【発明の効果】
【０００８】
本発明のショルダーストラップのズレ止めフックは、リュックサックなどの肩ベルトに取り付けることで、カメラや三脚、水筒などのショルダーストラップを肩に掛けて携行する場合に、肩からショルダーストラップがズレ落ちないので、肩に掛けたショルダーストラップに気を使わないで歩行できる。また、カメラや三脚、水筒などを使用する場合も、ショルダーストラップのズレ止めフックを取り付けていない場合と同じ動作で使用できるという利点がある。
【発明を実施するための最良の形態】
【０００９】
ショルダーストラップが肩からズレ落ちないようにするという目的を、最小の部品点数と簡単な構造によって実現した。
【実施例１】
【００１０】
図１は、本発明のＵ字型のズレ止めフックを設けたテープアジャスターの斜視図であって、テープアジャスター２の一端にズレ止めフック１が設けてある。
【００１１】
図２は、本発明のＵ字型のズレ止めフックを設けたクリップの斜視図であって、クリップ３の一端にズレ止めフック１が設けてある。
【００１２】
図３は、本発明の実施例の使用説明図であって、人間６が背負ったリュックサックの肩ベルト４の肩に本発明のズレ止めフック１を設けたテープアジャスター２又はクリップ３が取り付けてある。カメラや三脚、水筒などを携行する場合、ショルダーストラップ５がズレ止めフック1に引っかかることで人間６の肩7からズレ落ちることがなくなる。
【産業上の利用可能性】
【００１３】
本発明のショルダーストラップのずれ止めフックは、ショルダーバックの肩ベルトやカメラマンベストの肩部に設けるなどの用途にも幅広く応用できる。
【図面の簡単な説明】
【００１４】
【図１】Ｕ字型のズレ止めフックを設けたテープアジャスターの斜視図である。（実施例１）
【図２】Ｕ字型のズレ止めフックを設けたクリップの斜視図である。（実施例1）
【図３】ショルダーストラップのズレ止めフックを取り付けた使用説明図である。（実施例1）
【符号の説明】
【００１５】
１    ズレ止めフック
２    テープアジャスター
３    クリップ
４    リュックサックの肩ベルト
５    カメラなどのショルダーストラップ
６    人間
７    肩
【図１】
2006061212.tif 000003
【図２】
2006061212.tif 000004
【図３】
2006061212.tif 000005
(57)【要約】【課題】本発明は部屋の壁面やタイル面、窓ガラスなどの垂直面に取付ける開閉棚に関するものである。【解決手段】本体（１）に開閉棚（２）を回転軸（５）で固定する。そして背面（６）を部屋の垂直面に取付ける。【選択図】図１
2006061229.tif 000002
【特許請求の範囲】
【請求項１】
回転軸（５）を回転軸とし、開閉棚（２）を本体（１）から前方へ約９０度開いて使用する部屋の垂直面に取付ける開閉棚。
【発明の詳細な説明】
【技術分野】
【０００１】
本発明は部屋の壁面やタイル面、窓ガラスなどの垂直面に取付ける開閉棚に関するものである。
【背景技術】
【０００２】
従来の棚では、購入者が事前に部屋の間取りに合せて、その棚が床に置ける面積があるかを計測したり、部屋の高さと棚の高さが干渉しないかを確認してから購入する場合がほとんどである。つまり、自分の部屋に適する棚は購入前から置く場所が特定され、サイズが限定されてしまう。
【０００３】
そして購入したとしても、棚のサイズが大きければ大きいほど、運搬や設置を一人で作業することが困難である。
【０００４】
また従来の棚は、水平に固定された面にものが置けるという機能を基本に作られている。そのため奥行が絶対に存在しているので、もし使っていない棚が数段あれば、その部分が部屋を一部占領してしまい、部屋全体の空間が狭くなってしまう。
【発明の開示】
【発明が解決しようとする課題】
【０００５】
そこで本案は、これら従来の棚がもつ欠点を解消することを目的として発明されたのである。
【課題を解決するための手段】
【０００６】
いま、その構成を図面に追いながら説明すると、
（イ）本体（１）に開閉棚（２）を回転軸（５）で固定する。
（ロ）背面（６）を部屋の垂直面に取付ける。
以上のように構成する。
【発明の効果】
【０００７】
本案は、壁面などの部屋の垂直面を活用して任意の場所に取付けることが可能であるので、設置場所が予め限定されない。加えて、この開閉棚は１つのユニットとなっていることから、利用に合わせて自由に棚の数を選択できるので、棚全体のサイズも予め限定されない。結果、棚を購入する前から棚が置ける床のサイズや部屋の高さを考慮する必要がなくなる。たとえ壁面を使うことができなくても、タイル面や窓ガラスなどの垂直面であれば、両面テープや吸盤などで取付けることができ、部屋を有効に活用することができる。
【０００８】
複数個を取付けの際には、そのレイアウトも自由に行えることで、狭くても壁面を有効に活用できる。本体の面（３）が、鏡や面状の照明装置であればレイアウトした時のアクセントにもなる。
【０００９】
そして、棚を閉じた状態で棚一つ一つを個別に運搬や設置することが可能であることから、一人でも作業をラクに行うことができる。
【００１０】
また、この棚を設置した後に使わなくなっても、棚を閉じることで壁面からの奥行きがなくなるので、そのまま設置しておいても、部屋を占領することもなく邪魔にならない。
【００１１】
加えて、開閉棚の面（４）が、金属板であれば、磁石を使って写真やメモなどをつけるボードとしても活用でき、また、開閉棚の面（４）が、鏡や面状の照明装置であれば、部屋のインテリアとしても活用できる。
【発明を実施するための最良の形態】
【００１２】
本案を使用する時は、背面（６）を部屋の垂直面の任意な場所に取付け、開閉棚（２）を本体（１）から約９０度開いて使用する。
【００１３】
なお、背面（６）を部屋の垂直面に取付ける方法には、
（イ）ビスや金具などで取付ける方法
（ロ）両面テープで取付ける方法
（ハ）吸盤で取付ける方法
などがある。
【００１４】
加えて、開閉棚の面（４）や本体の面（３）には、
（ニ）金属板
（ホ）鏡
（ヘ）照明
なども適用される。
【図面の簡単な説明】
【００１５】
【図１】本発明の開いた状態の断面図
【図２】本発明の開いた状態の斜視図
【図３】本発明の閉じた状態の斜視図
【符号の説明】
【００１６】
（１）は本体
（２）は開閉棚
（３）は本体の面
（４）は開閉棚の面
（５）は回転軸
（６）は背面
【図１】
2006061229.tif 000003
【図２】
2006061229.tif 000004
【図３】
2006061229.tif 000005
(57)【要約】      （修正有）【課題】両方の足裏をサンダルに収納、固定するだけで簡単に、足裏合わせが出来るようにする事で、股関節、泌尿器、腰痛、膝痛等の療法に役立つ、サポート補助用具としての健康サンダルを提供する。【解決手段】サンダル等の台部（足を乗せる面）を、一つのサンダル本体１の両側（裏表）に設け、両足を収納、固定する為の筒状部２、帯び状物（バンド）３等を設置する事で、両足がズレたり離れない用に構成した。【選択図】図３
2006061275.tif 000002
【特許請求の範囲】
【請求項１】
一足のサンダル本体の両側（表裏）に、同形状の台部（足を乗せる面）を設け、その両側（表裏）の台部（足を乗せる面）には、足の甲部を収納、包み込む筒状部を有した健康サンダル。
【請求項２】
サンダル本体両側（表裏）台部（足を乗せる面）の後部に、かかと部から足首部を収納、固定の為の帯び状物（バンド）等を有した請求項１の健康サンダル。
【請求項３】
帯び状物（バンド）等には、足のサイズによる長さ調節、着脱の為のマジックテープ（登録商標）、ホック、コハゼ、フック、ドットボタン等を設け、帯び状物（バンド）等を通し、固定する為の金具等を有する請求項２の健康サンダル。
【発明の詳細な説明】
【技術分野】
【０００１】
本発明は、歩く事を目的とはせず、股関節、泌尿器、腰痛、膝痛等の療法に役立つ、両方の足裏を合わせの為の、サポート補助用具としてのサンダルに関する。
【背景技術】
【０００２】
今までのサンダルは、歩く事を目的とし、二足で一対になっています、一足のサンダルに両足の足裏を収納、はめ込むように、考案した物は今までにはなかった。
【０００３】
本サンダルは、歩く為のサンダルではなく、股関節、泌尿器、腰痛、膝痛等の療法に最適なサポートをする為、両足の足裏を一つのサンダルで簡単に収納し、合わせられる用に考案したサンダルである。
【発明の開示】
【発明が解決しようとする課題】
【０００４】
両方の足の裏を合わせる時、両方の足裏がうまく合わせられない時、ズレル時など、両方の足裏をサンダルに収納、固定するだけで簡単に、足裏合わせが出来るようにする事が課題です。
【課題を解決するための手段】
【０００５】
上記課題の解決手段は、サンダル等の台部（足を乗せる面）を、一つのサンダル本体の両側（裏表）に設け、両足の足裏を収納、固定する為の筒状部、帯び状物（バンド）等を設置することで、上記課題は解決する。
【発明の効果】
【０００６】
この発明にて、両足の足裏を合わせる事が容易になり、股関節、泌尿器、腰痛、膝痛等の療法に役立つ補助的効果が期待出来る。
【発明を実施するための最良の形態】
【０００７】
本案を図によって説明する。１はサンダル本体、２は足の甲部を包む筒状部、３はかかと部から足首部の固定の為の帯び状物（バンド）部、４は３の帯び状物（バンド）部を通す為の金具部、５aは４の金具に通し折り返した時に止めるマジックテープ（登録商標）雄部、５bは４の金具に通し折り返した時に止めるマジックテープ（登録商標）雌部である。
【０００８】
図１は、本案基本のサンダルの、片側上面図で、サンダル台部（足を乗せる面）には足の甲部をサンダルに収納、包み込む為の筒状部を有した図で、裏側も同形状である。
【実施例１】
【０００９】
図２は、図１のサンダル台部（足を乗せる面）の後部に、かかと部から足首部を固定する為の帯び状物（バンド）等を有した図である。
【実施例２】
【００１０】
図３は、図２のサンダル台部（足を乗せる面）側面図で、左右が同形状になっている図。Aは片方から見た時の後部に有した帯び状物（バンド）にマジックテープ（登録商標）等を有した図、BはAの反対側の後部に有した帯び状物（バンド）に金具を有した図である。
【００１１】
図４は、図２のサンダル台部（足を乗せる面）前後図で、Cは前部の正面図で足の甲部を包む２の筒状部を有した図、Dは後部の正面図で３の帯び状物（バンド）等を有した図である。
【図面の簡単な説明】
【００１２】
【図１】片側上面図。
【図２】片側上面帯び状物（バンド）設置図。
【図３】側面図。
【図４】前後図。
【符号の説明】
【００１３】
１本体、
２筒状部、
３帯び状物（バンド）部、
４金具、
５aマジックテープ（登録商標）雄部、
５bマジックテープ（登録商標）雌部、
【図１】
2006061275.tif 000003
【図２】
2006061275.tif 000004
【図３】
2006061275.tif 000005
【図４】
2006061275.tif 000006
(57)【要約】【課題】  新規な魚肉加工食品の提供。【解決手段】  クロカワカジキ生肉塊の塩水浸漬、非加熱乾燥物の少なくとも周縁部に冷燻処理を施してなることを特徴とする生ハム様クロカワカジキ加工食品およびその製造法。【選択図】なし【特許請求の範囲】
【請求項１】
クロカワカジキ生肉塊の塩水浸漬、非加熱乾燥物の少なくとも周縁部に冷燻処理を施してなることを特徴とする生ハム様クロカワカジキ加工食品。
【請求項２】
０〜５℃で２５〜３５重量％の塩水に浸漬し、０〜５℃で冷風乾燥したクロカワカジキの肉塊の少なくとも周縁部に５〜１５℃の燻煙で燻煙処理を施し、ついで０〜５℃で冷風に暴露してなる請求項１記載の生ハム様クロカワカジキ加工食品。
【請求項３】
クロカワカジキの生肉塊を、塩水に浸漬し、非加熱乾燥後、少なくとも肉塊の周縁部に冷燻処理を施すことを特徴とする請求項１記載の生ハム様クロカワカジキ加工食品の製造法。
【請求項４】
０〜５℃で１〜５時間、２５〜３５重量％の塩水に浸漬し、０〜５℃の冷風で６０〜１６８時間乾燥し、５〜１５℃で１０〜６０分間冷燻処理し、ついで、０〜５℃で、２４〜６０時間冷風に暴露する請求項３記載の製造法。
【発明の詳細な説明】
【技術分野】
【０００１】
本発明は生ハム様クロカワカジキ加工食品およびその製造法に関する。
【背景技術】
【０００２】
従来から種々の魚肉加工食品が開発されており、例えば、特許文献１には、魚臭を低減させるために、マグロのような魚肉を、土壌菌を含有する調味液に浸漬し、乾燥後、燻煙処理する魚肉燻製品の製造法が開示されている。また、特許文献２には、マグロを包含する種々の魚介を、燻抹を含む調味料を用いて生ハム様の製品とする製造法が開示されている。さらに、特許文献３には、サケ・マス肉と結着剤を用いて高圧処理する生ハム様の魚肉加工食品の製造法が開示されている。
【特許文献１】特開平１０−２７６６６８号公報
【特許文献２】特開２００２−１２５６２４号公報
【特許文献３】特開２００３−４７４４１号公報
【発明の開示】
【発明が解決しようとする課題】
【０００３】
本発明の目的は、クロカワカジキの肉質の特性を利用した、生ハムに非常に近似した外観、風味、食感を有する新規な魚肉加工食品を提供することにある。
【課題を解決するための手段】
【０００４】
本出願人は、先に、ビンナガマグロを用いた、生ハムに非常に近似した魚肉加工食品について特許出願した（特願２００４−１６１９３６号）。その後、クロカワカジキを用いることにより、さらに良好な生ハム様食品が得られることが判明した。
すなわち、本発明は、クロカワカジキ生肉塊の塩水浸漬、非加熱乾燥物の少なくとも周縁部に冷燻処理を施してなることを特徴とする生ハム様クロカワカジキ加工食品、およびその製造法を提供するものである。
【発明の効果】
【０００５】
本発明によれば、適宜の大きさにカットしたクロカワカジキの生肉塊に均等に塩分を浸透させると、クロカワカジキの肉塊が生の豚肉と遜色ない状態になり、その肉塊周縁部に冷燻処理を施すことにより生ハムに非常に近似した外観、風味、食感を有する魚肉加工食品が得られる。
【発明を実施するための最良の形態】
【０００６】
本発明で原料とするクロカワカジキは、漁獲後の生のものでも、冷凍したものでもよいが、鮮度の良好なものが望ましい。クロカワカジキは、内臓、鰓、頭部を除いた魚体を、例えば、四つ割り後、皮を引き、血合を除いて、適宜の大きさ、好ましくは５００ｇ〜３ｋｇ程度、通常２ｋｇ程度の大きさの肉塊にカットして使用する。
【０００７】
本発明の生ハム様クロカワカジキ加工食品は、このようにカットしたクロカワカジキ生肉塊の塩水浸漬、非加熱乾燥物の、少なくとも周縁部に冷燻処理を施したものである。
この塩水浸漬は、２５〜３５重量％、通常３０重量％の濃度の食塩水中に、クロカワカジキ生肉塊を浸漬することにより行う。
本発明の生ハム様クロカワカジキ加工食品の製造においては、すべての工程を、肉質が望ましくない変質を起こさない範囲の、かつ氷結晶の生成による肉質の損傷を避けた、できるだけ低温で行うことが好ましく、塩水への浸漬は、０〜５℃、好ましくは２℃程度の温度で行う。浸漬時間は、肉質に塩水が均等にしみ込む時間でよく、塩濃度、温度、肉塊の大きさにもよるが、２ｋｇ程度の肉塊で通常、２〜５時間程度で塩水の均等なしみ込みが達成される。
【０００８】
浸漬中または浸漬後に、所望により、例えば、昆布ダシ、香辛料やワイン風味等で、適宜風味付けを行ってもよい。浸漬を終了した肉塊は、十分に水切りし、非加熱乾燥に付す。通常、０〜５℃、好ましくは０〜２℃の雰囲気で冷風乾燥する。乾燥はクロカワカジキの肉塊全体が、いわゆる生乾きの状態になる程度になるように行えばよく、温度、肉塊の大きさにもよるが、２ｋｇ程度の肉塊で通常、６０〜１６８時間、好ましくは９６〜１４４時間程度で所望の乾燥状態が得られる。
【０００９】
乾燥した肉塊は、真水で洗浄して適宜塩抜きして塩分を調整した後、所望の風味に応じて、少なくともその周縁部に５〜１５℃で、２〜９０分間、冷燻処理をほどこす。冷燻処理は、燻製室内の温度上昇を避けて行うことが必要であるが、そのために肉塊表面に冷風を当てることは避けるべきである。冷風が肉塊表面に長時間当たると表面の乾燥や、ひび割れを生じ、タンパク質の変質を招き、商品価値が低下する。
【００１０】
このようにして得られた本発明の生ハム様クロカワカジキ加工食品は、冷蔵により約２週間程度保存が可能であり、スライスして通常の生ハムと同様にして食に供することができ、また、各種の調理の素材として使用することもできる。
以下に実施例を挙げて本発明をさらに詳しく説明するが、本発明はこれに限定されるものではない。
【実施例１】
【００１１】
内臓、鰓、頭部を除いたクロカワカジキを四つ割りし、皮を引いたのち、血合を除き、約２ｋｇの肉塊にカットした。このクロカワカジキの生肉塊を２℃で、昆布ダシを入れた３０重量％の食塩水に４時間浸漬した。浸漬水から引き揚げ、十分に水切りした。ついで、０〜５℃の雰囲気下で肉塊を９６時間冷風乾燥した。乾燥後、真水で洗浄した後、水切り後、くるみのチップの燻煙で、５〜１５℃にて２０〜３０分間冷燻処理した。冷燻処理後、０〜５℃にて４８時間冷風に暴露して香り取りの仕上げ処理をし、所望の生ハム様クロカワカジキ加工食品を得た。
【産業上の利用可能性】
【００１２】
以上記載したごとく、本発明によれば、クロカワカジキを利用した生ハムに近似した外見、風味、食感を呈する新規な魚肉加工食品を得ることができる。